(57)【要約】【課題】  情報を要求する利用者の置かれた環境に合わせて提供する情報を再編成して利用者端末へ提供するための情報サーバ、及びそのプログラムを記録した記録媒体を提供する。【解決手段】  利用者端末２が、要求する情報のＵＲＬを含めたＵＲＬ指定情報を送出すると、接続サーバ８が情報サーバ９へＣＰ側が予め定めた環境を示すコード体系を要求するので、情報サーバ９は、コード情報データベース９１に記録されたコード体系を、接続サーバ８へ送出する。コード体系を取得した接続サーバ８は、利用者情報に含まれる利用者端末２、もしくはその利用者の環境を特定できる情報を、該利用者の環境を示すコード情報に変換して、コンテンツ情報の要求信号と共に、指定された情報を記録する情報サーバ９へ送出する。コンテンツ情報の要求信号とコード情報を受信した情報サーバ９では、コンテンツ情報の内容を再編成し、接続サーバ８を介して利用者端末２へ供給する。【選択図】  図５
2004213659.tif 000002
【特許請求の範囲】
【請求項１】
公衆回線網とコンピュータネットワークとを接続する接続サーバを介して、前記公衆回線網上の利用者端末に利用者の希望する情報を提供する前記コンピュータネットワーク上の情報サーバであって、
前記利用者の発信地域を特定するために利用される地域指示情報と、前記利用者に提供する情報に関連した地域を示す情報がコード化された、前記利用者を一意には特定できない地域コード情報とを関連付けてコード体系として記憶するコード情報データベースと、
前記接続サーバからの要求に応じて、前記コード情報データベースに記憶された前記コード体系を提供するコード体系提供手段と、
前記接続サーバへ提供された前記コード体系に基づく、前記利用者を一意には特定できない前記地域コード情報を前記接続サーバから取得すると共に、該地域コード情報に基づいて提供する情報の内容を再編成し、再編成した情報を前記接続サーバを介して前記利用者端末へ送出する情報提供手段と
を備えたことを特徴とする情報サーバ。
【請求項２】
公衆回線網とコンピュータネットワークとを接続する接続サーバを介して、前記公衆回線網上の利用者端末に利用者の希望する情報を提供する前記コンピュータネットワーク上の情報サーバで実行されるプログラムを記録した記録媒体であって、
前記プログラムは、
前記利用者の発信地域を特定するために利用される地域指示情報と、前記利用者に提供する情報に関連した地域を示す情報がコード化された、前記利用者を一意には特定できない地域コード情報とを関連付けてコード体系として記憶するコード情報データベースから、前記接続サーバからの要求に応じて該コード体系を提供するコード体系提供処理と、
前記接続サーバへ提供された前記コード体系に基づく、前記利用者を一意には特定できない前記地域コード情報を前記接続サーバから取得すると共に、該地域コード情報に基づいて提供する情報の内容を再編成し、再編成した情報を前記接続サーバを介して前記利用者端末へ送出する情報提供処理と
を情報サーバに実行させるコンピュータ読み取り可能な記録媒体。
【発明の詳細な説明】
【技術分野】
【０００１】
この発明は、コンピュータネットワーク上に配置された情報サーバ、及びそのプログラムを記録した記録媒体に関する。
【背景技術】
【０００２】
近年、ＣＰ（Contents Provider ）の提供するインターネット上に配置された情報サーバに、利用者がＩＳＰ（Internet Service Provider ）の提供するインターネット接続サーバを介してアクセスし、該情報サーバに記録された情報を入手するインターネットの情報発信サービスがある。
ＣＰの提供する情報サーバには、ＣＰ自身の他、情報サーバを借りる形で企業や個人がＨＴＭＬ（Hyper Text Markup Language）等の言語で書かれたホームページと呼ばれる情報を公開している。インターネット上の情報の所在は、ＵＲＬ（Uniform Resource Locator）と呼ばれるインターネット上のアドレスで表現され、情報を受ける側の利用者は、コンピュータ端末等のインターネットに接続可能な端末を、ＩＳＰの運用するインターネット接続サーバに接続し、インターネット接続サーバ経由で、情報サーバにＨＴＴＰ（Hyper Text Transfer Protocol）等のプロトコルを用いてアクセスする。
【発明の開示】
【発明が解決しようとする課題】
【０００３】
しかし、従来のインターネットの情報発信サービスでは、ＣＰ側の情報発信者は、利用者に対して、新聞、雑誌、テレビ・ラジオ番組等の情報メディアやインターネット上の情報検索サーバ等を用いて情報のＵＲＬを提供し、利用者に自分の提供する情報を探し出してもらう受動的な方法しか情報の提供方法がなかった。
また、ＣＰ側の情報発信者が、自分が提供する情報をメニュー化して、ＵＲＬを発見してアクセスした利用者に情報の選択を行いやすくした場合でも、そのメニューは予め用意される静的なものになり、居住する地域、職業、年齢、趣味等の異なった環境にある利用者にとっては必ずしも最適なメニューではないという問題があった。
【０００４】
本発明は、上記問題点に鑑みてなされたもので、情報を要求する利用者の置かれた環境に合わせて提供する情報を再編成して利用者端末へ提供するための情報サーバ、及びそのプログラムを記録した記録媒体を提供することを目的とする。
【課題を解決するための手段】
【０００５】
上記問題点を解決するために、本発明は、公衆回線網とコンピュータネットワークとを接続する接続サーバを介して、前記公衆回線網上の利用者端末に利用者の希望する情報を提供する前記コンピュータネットワーク上の情報サーバであって、前記利用者の発信地域を特定するために利用される地域指示情報と、前記利用者に提供する情報に関連した地域を示す情報がコード化された、前記利用者を一意には特定できない地域コード情報とを関連付けてコード体系として記憶するコード情報データベースと、前記接続サーバからの要求に応じて、前記コード情報データベースに記憶された前記コード体系を提供するコード体系提供手段と、前記接続サーバへ提供された前記コード体系に基づく、前記利用者を一意には特定できない前記地域コード情報を前記接続サーバから取得すると共に、該地域コード情報に基づいて提供する情報の内容を再編成し、再編成した情報を前記接続サーバを介して前記利用者端末へ送出する情報提供手段とを備えたことを特徴とする。
以上の構成により、情報サーバは、接続サーバからの要求に応じて、自身が利用者に提供する情報に関連したコード体系を接続サーバに与え、該コード体系に基づいて変換され接続サーバから取得した、利用者の発信地域を特定することはできるが利用者を一意には特定できない地域コード情報に基づいて、情報を要求する利用者の置かれた環境に合わせた適切な情報を提供することができる。
【０００６】
また、本発明は、公衆回線網とコンピュータネットワークとを接続する接続サーバを介して、前記公衆回線網上の利用者端末に利用者の希望する情報を提供する前記コンピュータネットワーク上の情報サーバで実行されるプログラムを記録した記録媒体であって、前記プログラムは、前記利用者の発信地域を特定するために利用される地域指示情報と、前記利用者に提供する情報に関連した地域を示す情報がコード化された、前記利用者を一意には特定できない地域コード情報とを関連付けてコード体系として記憶するコード情報データベースから、前記接続サーバからの要求に応じて該コード体系を提供するコード体系提供処理と、前記接続サーバへ提供された前記コード体系に基づく、前記利用者を一意には特定できない前記地域コード情報を前記接続サーバから取得すると共に、該地域コード情報に基づいて提供する情報の内容を再編成し、再編成した情報を前記接続サーバを介して前記利用者端末へ送出する情報提供処理とを情報サーバに実行させることを特徴とする。
【０００７】
一方、上述の情報サーバが利用者端末へ情報を送出するために利用する接続サーバについても説明すると、接続サーバは、コンピュータネットワーク上に配置された情報サーバの提供する情報を、情報を要求する利用者の置かれた環境に合わせて再編成して公衆回線網上の利用者端末へ提供するために、前記公衆回線網と前記コンピュータネットワークとを接続する接続サーバであって、前記利用者の発信地域を特定するために利用される地域指示情報を、前記利用者を一意に特定できる情報に関連付けて記憶する利用者情報データベースと、前記情報サーバ内に設けられると共に、前記地域指示情報と、前記利用者に提供する情報に関連した地域を示す情報がコード化された、前記利用者を一意には特定できない地域コード情報とを関連付けてコード体系として記憶するコード情報データベースから、該コード体系を取得するコード情報取得手段と、情報要求時に前記利用者端末から入力された前記利用者を一意に特定できる情報に基づいて認証を行う利用者認証手段と、前記利用者端末から入力された前記利用者を一意に特定できる情報を、前記利用者情報データベースに基づいて、前記地域指示情報に変換する利用者情報変換手段と、前記利用者情報変換手段により変換された前記地域指示情報を、前記コード情報取得手段が取得したコード体系に基づいて、前記地域コード情報に変換する情報コード化手段と、前記情報コード化手段により変換された前記地域コード情報を、前記情報サーバへ送出する利用者情報送出手段とを備えている。
【０００８】
また、接続サーバで実行されるプログラムを記録した記録媒体は、コンピュータネットワーク上に配置された情報サーバの提供する情報を、情報を要求する利用者の置かれた環境に合わせて再編成して公衆回線網上の利用者端末へ提供するために、前記公衆回線網と前記コンピュータネットワークとを接続する接続サーバで実行されるプログラムを記録した記録媒体であって、前記プログラムは、情報要求時に前記利用者端末から入力された前記利用者を一意に特定できる情報に基づいて認証を行う利用者認証処理と、前記利用者の発信地域を特定するために利用される地域指示情報を前記利用者を一意に特定できる情報に関連付けて記憶する利用者情報データベースに基づいて、前記利用者端末から入力された前記利用者を一意に特定できる情報を、前記地域指示情報に変換する利用者情報変換処理と、前記情報サーバ内に設けられると共に、前記地域指示情報と、前記利用者に提供する情報に関連した地域を示す情報がコード化された、前記利用者を一意には特定できない地域コード情報とを関連付けてコード体系として記憶するコード情報データベースから、該コード体系を取得するコード情報取得処理と、前記利用者情報変換処理により変換された前記地域指示情報を、前記コード情報取得処理が取得したコード体系に基づいて、前記地域コード情報に変換する情報コード化処理と、前記情報コード化処理により変換された前記地域コード情報を、前記情報サーバへ送出する利用者情報送出処理とを接続サーバに実行させる。
【０００９】
これにより、接続サーバは、情報サーバが用意するコード体系に基づいて、利用者の発信地域を特定するための情報を、利用者を一意には特定できない地域コード情報として情報サーバへ送出し、情報サーバから情報を要求する利用者の置かれた環境に合わせた適切な情報を取得することができる。
【００１０】
このように、情報サーバの提供する情報を、情報を要求する利用者の発信地域に合わせて再編成して利用者端末へ提供するために、公衆回線網とコンピュータネットワークとを接続する接続サーバに、認証された利用者端末からの情報要求時に、利用者の発信地域の情報を情報サーバへ提供する利用者情報送出手段を設けたことにより、情報を要求する利用者の発信地域の情報を、情報サーバに対して通知することが可能となる。
【００１１】
また、接続サーバにおいて、利用者情報送出手段が、利用者端末、もしくは利用者を一意に特定できる情報に基づき、利用者の発信地域を、予め定められた地域を示すコード情報に変換して情報サーバへ提供する構成としたことにより、具体的な情報に置き換えられるコード情報を、情報サーバに対して通知することが可能となる。
従って、表現のしづらい利用者の環境も、簡単に表現することが可能となり、更に接続サーバと情報サーバ間の通信を効率化することもできる。更に、利用者端末のＩＤ情報、もしくは利用者自身のＩＤ情報をコンピュータネットワーク上に送出することは、個人情報の保護の観点から問題があるが、それに基づいて変換したコード情報であれば、盗用されたコード情報からは利用者端末のＩＤ情報、もしくは利用者自身のＩＤ情報を特定することができず、個人情報が保護できる。
【００１２】
更に、接続サーバにおいて、情報サーバ内に設けられたコード情報データベースから、利用者の発信地域を特定するために利用される地域指示情報と、利用者に提供する情報に関連した地域を示す情報がコード化された、利用者を一意には特定できない地域コード情報とを関連付けて体系化したコード体系を取得するコード情報取得手段を設け、利用者情報送出手段が、コード情報取得手段が取得したコード体系に基づいて、利用者の発信地域の情報をコード情報に変換して情報サーバへ提供する構成としたことにより、コード情報を情報発信者側が主体的に作成し接続サーバへ供給することで、情報サーバは、自身の提供する情報に特化した更に具体的な情報を得ることが可能となる。
従って、ＣＰ側は自身が提供する情報に沿ったコード体系により、更に細かい情報の再編成を行い、再編成された情報を利用者に提供できる。
【００１３】
また、接続サーバにおいて、利用者端末、もしくは利用者を一意に特定できる情報は、利用者端末のＩＤ情報、もしくは利用者のＩＤ情報としたことにより、利用者端末の発信者ＩＤや端末ＩＤ等の利用者端末のＩＤ情報、もしくは利用者自身のＩＤ情報を用いて、利用者を簡易に特定することが可能となる。
従って、利用者が情報を要求するたびに、利用者に自分の置かれた環境を入力させるような手間を強要することなく、情報発信者側は高次元のサービスを供給できる。
【発明の効果】
【００１４】
以上の如く本発明は、接続サーバを介して、公衆回線網上の利用者端末に情報を提供する情報サーバであって、接続サーバから提供される利用者の発信地域の情報により、記録された情報の内容を再編成して提供する手段を設けた。
これにより、利用者の発信地域に最適な情報を、情報サーバが能動的に発信することが可能となる。
【００１５】
本発明は、接続サーバを介して、公衆回線網上の利用者端末に情報を提供する情報サーバであって、利用者の発信地域を特定するために利用される地域指示情報と、地域を示す情報がコード化された、利用者を一意には特定できない地域コード情報とを関連付けて体系化したコード体系を記録するコード情報データベースと、接続サーバからの要求により、コード体系を接続サーバへ送出する手段と、接続サーバから提供される利用者の発信地域の情報により、記録された情報の内容を再編成して提供する手段とを設けた。
これにより、情報発信者が主体的に作成したコード情報を接続サーバへ供給することが可能となる。
従って、利用者の発信地域を通知された情報発信者は、従来の利用者に発見してもらうという受動的な情報発信から、利用者の発信地域により、利用者に対して最適な情報を判断し、能動的に情報を発信できるという効果が得られる。
【発明を実施するための最良の形態】
【００１６】
以下、図面を参照して本発明の実施例について説明する。
【実施例１】
【００１７】
（本発明の概念の説明）
まず、図１と図２、及び図７を用いて、本発明の概念を説明する。なお、具体的な実施例は詳細を後述する。
図１は、本発明の概念を表す構成を示すブロック図である。この図において、符号１は、情報振り分けシステムに用いられる接続サーバであって、コンピュータネットワークに配置された情報サーバへ利用者端末の環境を特定できる情報を送出して、利用者端末と情報サーバの間を接続する。符号２は、接続サーバ１を介して情報サーバに情報を要求する利用者端末である。符号３は、利用者端末２と接続サーバ１を接続する、ＰＳＴＮ（ Public Switch Telephone Network）やＩＳＤＮ（Integrated Services Digital Network ）等の公衆回線網である。符号４は、コンピュータネットワーク上に配置された情報サーバであって、接続サーバ１から送出される利用者端末２、もしくはその利用者の環境を特定できる情報を用いて、情報の編成を利用者に合わせて提供する。符号５は、接続サーバ１と情報サーバ４を接続するコンピュータネットワークである。
なお、図１において、情報サーバ４は、コンピュータネットワーク５上に１個、または複数個存在するものとする。
【００１８】
また、接続サーバ１は、モデム１１と、利用者情報管理部１２と、利用者情報データベース１３と、利用者認証処理部１４と、利用者情報送出処理部１５と、ルータ１６と、通信形態変換処理部１７とから構成されている。
モデム１１は、公衆回線網３を介して、利用者端末２と、回線交換によるコネクション型通信を用いて、ダイヤルアップＩＰ（Internet Protocol ）接続を確立するコネクション型通信手段である。
利用者情報管理部１２は、利用者情報データベース１３に記録された利用者端末２のＩＤ情報や利用者自身のＩＤ情報、パスワード等の利用者情報を管理する。
利用者情報データベース１３は、利用者端末２のＩＤ情報や利用者自身のＩＤ情報、パスワード等の利用者情報を、予め記録してあるデータベースである。
利用者承認処理部１４は、利用者端末２が接続サーバ１へ接続を要求した際に、利用者端末２側から送出される利用者端末２のＩＤ情報や利用者自身のＩＤ情報、及びパスワードと、利用者情報データベース１３に予め記録された利用者情報に含まれる利用者端末２のＩＤ情報や利用者自身のＩＤ情報、及びパスワードを、利用者情報管理部１２を介して入手して比較し、利用者端末２の認証を行う。
利用者情報送出処理部１５は、利用者情報に含まれる利用者端末２のＩＤや利用者自身のＩＤ情報等の利用者端末２、もしくはその利用者の環境を特定できる情報を、情報サーバ４へ提供する。
ルータ１６は、パケット交換によるコンピュータネットワーク５を介して、接続サーバ１と情報の送受信を行うコネクションレス型通信手段である。
通信形態変換処理部１７は、コネクションレス型通信手段とコネクション型通信手段の仲介を行い、利用者端末２と情報サーバ４の間の通信を可能とする。
【００１９】
また、情報サーバ４は、利用者端末２、もしくはその利用者の環境を特定できる情報により、利用者端末２へ提供する情報の再編成が可能なコンテンツ情報４１を含む。
【００２０】
ここで、利用者端末２は、インターネット等のコンピュータネットワークに対する接続機能を持った端末であり、有線通信により接続される端末に限らず、無線通信により接続される携帯電話やＰＨＳ（Personal Handyphone System）を含む携帯端末、あるいは移動通信端末も表すものとする。また、上述の有線、あるいは無線通信を用いた端末において、簡易型のコンピュータネットワーク接続機能を持った端末も含むものとする。
【００２１】
なお、接続サーバ１の利用者情報データベース１３と、情報サーバ４のコンテンツ情報４１は、ハードディスク装置や光磁気ディスク装置、フラッシュメモリ等の不揮発性のメモリや、ＣＤ−ＲＯＭ等の読み出しのみが可能な記録媒体、ＲＡＭ（Random Access Memory）のような揮発性のメモリ、あるいはこれらの組み合わせによるコンピュータ読み取り、書き込み可能な記録媒体より構成されるものとする。
【００２２】
また、接続サーバ１のモデム１１と、利用者情報管理部１２と、利用者認証処理部１４と、利用者情報送出処理部１５と、ルータ１６と、通信形態変換処理部１７は、接続サーバ１において、専用のハードウェアにより実現されるものであってもよく、また、メモリおよびＣＰＵ（中央演算装置）により構成され、上記の各部の機能を実現するためのプログラムをメモリにロードして実行することによりその機能を実現させるものであってもよい。
【００２３】
また、接続サーバ１、あるいは利用者端末２、情報サーバ４には、周辺機器として入力装置、表示装置等（いずれも図示せず）が接続されるものとする。ここで、入力装置とはキーボード、マウス等の入力デバイスのことをいう。表示装置とはＣＲＴ（Cathode Ray Tube）ディスプレイ装置や液晶表示装置等のことをいう。
【００２４】
次に、本構成の動作を図２、及び図７を用いて説明する。図２は、図１に示す構成の動作を説明するシーケンス図である。図７は、本発明の利用者情報とコード情報のデータベースの内容例を示す模式図である。
図２において、まず、利用者端末２でダイヤルアップＩＰ接続の要求が発生すると（ステップＳ１）、利用者端末２は、接続サーバ１へ利用者端末２のＩＤ情報やパスワード等の利用者情報を含む接続データを送出する（ステップＳ２）。
接続データを受信した接続サーバ１では、利用者認証処理部１４が、利用者情報データベース１３に記録された利用者情報を、利用者情報管理部１２を介して読み出し、利用者端末２から送出された利用者情報と比較することで、利用者端末２の認証を行う（ステップＳ３）。
認証に問題がなければ、接続サーバ１の利用者認証処理部１４は、利用者端末２へ接続許可情報を送出する（ステップＳ４）。
接続許可情報を受信した利用者端末２は、要求する情報のＵＲＬを含めたＵＲＬ指定情報を、接続サーバ１へ送出する（ステップＳ５）。
ＵＲＬ指定情報を受信した接続サーバ１では、ＵＲＬから指定された情報を記録する情報サーバ４を割り出し、該当する情報サーバ４へコンテンツ情報の要求を送出する（ステップＳ６）。
同時に、利用者情報送出処理部１５が、利用者情報に含まれる利用者端末２のＩＤや利用者自身のＩＤ情報等の利用者端末２、もしくはその利用者の環境を特定できる情報を、情報サーバ４へ送出する（ステップＳ７）。
ここで、利用者端末２、もしくはその利用者の環境を特定できる情報の簡単な例としては、図７（ａ）の利用者情報データベースの内容例に示した利用者端末２の接続される公衆回線網３の加入者回線に付与された発信者ＩＤ（いわゆる利用者端末２の電話番号）や、利用者一人一人に付与された利用者ＩＤが上げられる。
利用者端末２、もしくはその利用者の環境を特定できる情報を受信した情報サーバ４では、それに合わせてコンテンツ情報４１の内容を再編成する（ステップＳ８）。
情報サーバ４は、コンテンツ情報４１の再編成後、再編成後の情報を接続サーバ１へ送出する（ステップＳ９）。
接続サーバ１では、通信形態変換処理部１７がコンピュータネットワーク５と公衆回線網３との間の通信形態を変換し（ステップＳ１０）、利用者端末２へ要求された情報を転送する（ステップＳ１１）。
【００２５】
（第１の実施例）
次に、図３と図４、図７を用いて、本発明の第１の実施例を説明する。本実施例は上述した本発明の概念を具体化した例であって、利用者端末２、もしくはその利用者を一意に特定できる情報に基づき、利用者の置かれた環境を、予め定められた環境を示すコード情報に変換して情報サーバへ提供する場合で、特にコード情報データベースが接続サーバ内に設けられた場合の実施例である。
図３は、本実施例の構成を示すブロック図である。この図において、符号２から符号５は、図１に示す本発明の概念を表す構成における構成要素と同一の動作をする構成要素であるので、ここでは説明を省略する。
符号６は、本実施例を説明する情報振り分けシステムに用いられる接続サーバであって、コンピュータネットワーク５上に配置された情報サーバへ、利用者端末２、もしくはその利用者を一意に特定できる情報に基づき、利用者の置かれた環境を、予め定められた環境を示すコード情報に変換して送出して、利用者端末２と情報サーバの間を接続する。
符号７は、コンピュータネットワーク５上に配置された情報サーバであって、接続サーバ６から送出されるコード情報を用いて、情報の編成を利用者に合わせて提供する。
なお、図３においても、情報サーバ７は、コンピュータネットワーク５上に１個、または複数個存在するものとする。
【００２６】
また、接続サーバ６は、モデム１１と、利用者情報管理部１２と、利用者情報データベース１３と、利用者認証処理部１４と、ルータ１６と、通信形態変換処理部１７と、コード情報管理部１８と、コード情報データベース１９と、ＩＤ情報変換処理部２０とから構成されている。
接続サーバ６を構成する構成要素の内、本発明の概念を表す接続サーバ１を構成する構成要素と同じ符号を付与したものは、接続サーバ１と同一の動作をする構成要素であるので、ここでは説明を省略する。
コード情報管理部１８は、コード情報データベースに記録された、ＩＳＰ側が予め定めた環境を示すコード体系を管理する。
コード情報データベース１９は、ＩＳＰ側が予め定めた環境を示すコード体系を記録してあるデータベースである。
ＩＤ情報変換処理部２０は、本発明の概念を表す構成における、上述の利用者情報送出処理部１５に代わり、利用者端末２、もしくはその利用者を一意に特定できる情報に基づき、利用者の置かれた環境を、コード情報データベース１９に記録された、予め定められた環境を示すコード情報に変換して情報サーバ７へ提供する。
【００２７】
また、情報サーバ７は、接続サーバ６が送出するコード情報により、利用者端末２へ提供する情報の再編成が可能なコンテンツ情報７１を含む。
【００２８】
なお、接続サーバ６の利用者情報データベース１３と、コード情報データベース１９と、情報サーバ７のコンテンツ情報７１は、ハードディスク装置や光磁気ディスク装置、フラッシュメモリ等の不揮発性のメモリや、ＣＤ−ＲＯＭ等の読み出しのみが可能な記録媒体、ＲＡＭのような揮発性のメモリ、あるいはこれらの組み合わせによるコンピュータ読み取り、書き込み可能な記録媒体より構成されるものとする。
【００２９】
また、接続サーバ６のモデム１１と、利用者情報管理部１２と、利用者認証処理部１４と、ルータ１６と、通信形態変換処理部１７と、コード情報管理部１８と、ＩＤ情報変換処理部２０は、接続サーバ６において、専用のハードウェアにより実現されるものであってもよく、また、メモリおよびＣＰＵにより構成され、上記の各部の機能を実現するためのプログラムをメモリにロードして実行することによりその機能を実現させるものであってもよい。
【００３０】
また、接続サーバ６と、情報サーバ７には、周辺機器として入力装置、表示装置等（いずれも図示せず）が接続されるものとする。
【００３１】
次に、第１の実施例の動作を図４、及び図７を用いて説明する。図４は、図３に示す本実施例の動作を説明するシーケンス図である。
図４において、まず、ステップＳ１で利用者端末２においてダイヤルアップＩＰ接続の要求が発生し、ステップＳ５で利用者端末２が、接続許可情報を受信し、要求する情報のＵＲＬを含めたＵＲＬ指定情報を、接続サーバ６へ送出するまでの動作は、本発明の概念を表す構成における、上述の利用者端末２と接続サーバ１の動作と同一であるので、ここでは説明を省略する。
ステップＳ５で利用者端末２が、要求する情報のＵＲＬを含めたＵＲＬ指定情報を送出すると、接続サーバ６は、利用者端末２から送出された利用者情報を、予め定められた環境を示すコード情報に変換する。具体的には、接続サーバ６は、コード情報管理部１８を介してコード情報データベース１９から、ＩＳＰ側が予め定めた環境を示すコード体系を読み出し、ステップＳ２で送出された接続データ中の利用者情報に含まれる利用者端末２のＩＤや利用者自身のＩＤ情報等の利用者端末２、もしくはその利用者の環境を特定できる情報を、ＩＤ情報変換処理部２０において該利用者の環境を示すコード情報に変換する（ステップＳ６−１）。ここで、利用者端末２、もしくはその利用者の環境を特定できる情報が、本発明の概念の説明において説明した図７（ａ）の利用者情報データベースの内容例に示した利用者端末２の電話番号としたら、例えば利用者の居住する地域を示すコード情報として、これを郵便番号に変換する。
利用者端末２、もしくはその利用者の環境を特定できる情報を、環境を示すコード情報に変換できたら、接続サーバ６は、ステップＳ５で受信したＵＲＬ指定情報のＵＲＬから、指定された情報を記録する情報サーバ７を割り出し、該当する情報サーバ７へコンテンツ情報の要求を送出する（ステップＳ６−２）。
同時に、ＩＤ情報変換処理部２０が、ステップＳ６−１で変換したコード情報を情報サーバ７へ送出する（ステップＳ７−１）。ここでは、上述の郵便番号が送出される。
利用者端末２、もしくはその利用者の環境を示すコード情報を受信した情報サーバ７では、それに合わせてコンテンツ情報７１の内容を再編成する（ステップＳ８−１）。
この後、情報サーバ７が再編成後の情報を接続サーバ６へ送出し、接続サーバ６が情報の通信形態を変換して利用者端末２へ転送する動作は、本発明の概念を表す構成における、上述のステップＳ９からステップＳ１１までの動作と同一であるので、ここでは説明を省略する。
【実施例２】
【００３２】
（第２の実施例）
次に、図５と図６、図７を用いて、本発明の第２の実施例を説明する。本実施例は上述した本発明の概念を具体化した例であって、利用者端末２、もしくはその利用者を一意に特定できる情報に基づき、利用者の置かれた環境を、予め定められた環境を示すコード情報に変換して情報サーバへ提供する場合で、特にコード情報データベースが情報サーバ内に設けられ、接続サーバは、情報サーバから取得したコード体系から、利用者の置かれた環境をコード情報に変換する場合の実施例である。
図５は、本実施例の構成を示すブロック図である。この図において、符号２から符号５は、本発明の概念を表す構成における構成要素、及び第２の実施例の構成要素と同一の動作をする構成要素であるので、ここでは説明を省略する。
符号８は、本実施例を説明する情報振り分けシステムに用いられる接続サーバであって、コンピュータネットワーク５上に配置された情報サーバから取得した環境を示すコード体系から、利用者端末２、もしくはその利用者を一意に特定できる情報に基づき、利用者の置かれた環境を、コード情報に変換して情報サーバへ送出し、利用者端末２と情報サーバの間を接続する。
符号９は、コンピュータネットワーク５上に配置された情報サーバであって、接続サーバ８へ予め定められた環境を示すコード体系を提供し、折り返し接続サーバ８から送出されるコード情報を用いて、情報の編成を利用者に合わせて提供する。
なお、図５においても、情報サーバ９は、コンピュータネットワーク５上に１個、または複数個存在するものとする。
【００３３】
また、接続サーバ８は、モデム１１と、利用者情報管理部１２と、利用者情報データベース１３と、利用者認証処理部１４と、ルータ１６と、通信形態変換処理部１７と、ＩＤ情報変換処理部２０と、コード情報取得部２１と、コード情報記録部２２とから構成されている。
接続サーバ８を構成する構成要素の内、本発明の概念を表す構成、及び第２の実施例における、上述の接続サーバ１、及び接続サーバ６を構成する構成要素と同じ符号を付与したものは、接続サーバ１、及び接続サーバ６の説明と同一の動作をする構成要素であるので、ここでは説明を省略する。
コード情報取得部２１は、情報サーバ９に設けられたコード情報データベースに記録された、ＣＰ側が予め定めた環境を示すコード体系を、情報サーバ９へ要求して取得する。
コード情報記録部２２は、コード情報取得部２１が情報サーバ９から取得したＣＰ側が予め定めた環境を示すコード体系を、記録して保持する。
【００３４】
また、情報サーバ９は、接続サーバ８が送出するコード情報により、利用者端末２へ提供する情報の再編成が可能な、第１の実施例と同様のコンテンツ情報７１を含む。
更に、ＣＰ側が予め定めた環境を示すコード体系を記録してあるコード情報データベース９１を含む。
【００３５】
なお、接続サーバ８の利用者情報データベース１３と、コード情報記録部２２と、情報サーバ９のコンテンツ情報７１と、コード情報データベース９１は、ハードディスク装置や光磁気ディスク装置、フラッシュメモリ等の不揮発性のメモリや、ＣＤ−ＲＯＭ等の読み出しのみが可能な記録媒体、ＲＡＭのような揮発性のメモリ、あるいはこれらの組み合わせによるコンピュータ読み取り、書き込み可能な記録媒体より構成されるものとする。
【００３６】
また、接続サーバ８のモデム１１と、利用者情報管理部１２と、利用者認証処理部１４と、ルータ１６と、通信形態変換処理部１７と、ＩＤ情報変換処理部２０と、コード情報取得部２１と、コード情報記録部２２は、接続サーバ８において、専用のハードウェアにより実現されるものであってもよく、また、メモリおよびＣＰＵにより構成され、上記の各部の機能を実現するためのプログラムをメモリにロードして実行することによりその機能を実現させるものであってもよい。
【００３７】
また、接続サーバ８と、情報サーバ９には、周辺機器として入力装置、表示装置等（いずれも図示せず）が接続されるものとする。
【００３８】
次に、第２の実施例の動作を図６、及び図７を用いて説明する。図６は、図５に示す本実施例の動作を説明するシーケンス図である。
図６において、まず、ステップＳ１で利用者端末２においてダイヤルアップＩＰ接続の要求が発生し、ステップＳ５で利用者端末２が、接続許可情報を受信し、要求する情報のＵＲＬを含めたＵＲＬ指定情報を、接続サーバ８へ送出するまでの動作は、本発明の概念を表す構成における、上述の利用者端末２と接続サーバ１の動作と同一であるので、ここでは説明を省略する。
ステップＳ５で利用者端末２が、要求する情報のＵＲＬを含めたＵＲＬ指定情報を送出すると、接続サーバ８のコード情報取得部２１が、情報サーバ９へ、ＣＰ側が予め定めた環境を示すコード体系を要求する（ステップＳ６−３）。
コード体系を要求された情報サーバ９は、コード情報データベース９１に記録されたコード体系を、接続サーバ８へ送出する（ステップＳ６−４）。ここで、情報サーバ９は、例えば自身の提供する情報が各市町村に個別に付与された市町村コードに関連づけられているとして、市町村コードの体系を接続サーバ８へ送出する。
コード体系を取得した接続サーバ８のコード情報取得部２１は、コード体系をコード情報記録部２２へ記録する。
次に、接続サーバ８は、コード情報取得部２１を介してコード情報記録部２２から、ＣＰ側が予め定めた環境を示すコード体系を読み出し、ステップＳ２で送出された接続データ中の利用者情報に含まれる利用者端末２のＩＤや利用者自身のＩＤ情報等の利用者端末２、もしくはその利用者の環境を特定できる情報を、ＩＤ情報変換処理部２０において該利用者の環境を示すコード情報に変換する（ステップＳ６−５）。ここで、利用者端末２、もしくはその利用者の環境を特定できる情報が、本発明の概念の説明において説明した図７（ａ）の利用者情報データベースの内容例に示した利用者端末２の電話番号としたら、これをコード情報記録部２２に記録された市町村コードに変換する。
利用者端末２、もしくはその利用者の環境を特定できる情報を、環境を示すコード情報に変換できたら、接続サーバ８は、ステップＳ５で受信したＵＲＬ指定情報のＵＲＬから、指定された情報を記録する情報サーバ９を割り出し、該当する情報サーバ９へコンテンツ情報の要求を送出する（ステップＳ６−６）。
同時に、ＩＤ情報変換処理部２０が、ステップＳ６−５で変換したコード情報を情報サーバ９へ送出する（ステップＳ７−２）。ここでは、上述の市町村コードが送出される。
利用者端末２、もしくはその利用者の環境を示すコード情報を受信した情報サーバ９では、それに合わせてコンテンツ情報７１の内容を再編成する（ステップＳ８−１）。
この後、情報サーバ９が再編成後の情報を接続サーバ８へ送出し、接続サーバ８が情報の通信形態を変換して利用者端末２へ転送する動作は、本発明の概念を表す構成における、上述のステップＳ９からステップＳ１１までの動作と同一であるので、ここでは説明を省略する。
また、上述の説明では、接続サーバ８のコード情報取得部２１が、情報サーバ９へ、ＣＰ側が予め定めた環境を示すコード体系を要求するタイミングは、利用者端末２が情報サーバ９へ情報を要求する時点の最新のコード体系を使用するという意味を含めて、利用者端末２が、要求する情報のＵＲＬを含めたＵＲＬ指定情報を送出するタイミング（ステップＳ６−３）とした。しかし、コンピュータネットワーク５のトラヒックの増加による通信障害の発生を考慮し、接続サーバ８のコード情報取得部２１から情報サーバ９へのコード体系の要求は、夜間等のコンピュータネットワーク５のトラヒック閑散時に定期的に行っても良い。この場合、ステップＳ６−５のＩＤ情報変換処理部２０における、接続データ中の利用者情報に含まれる利用者端末２のＩＤや利用者自身のＩＤ情報等の利用者端末２、もしくはその利用者の環境を特定できる情報を、利用者の環境を示すコード情報に変換する作業には、コード情報記録部２２に記録された最新のコード体系を使用するものとする。
【００３９】
なお、上述の第１、第２の実施例の説明では、電話番号を郵便番号や市町村コードといったいわゆる「地域情報」に変換する実施例を説明しているが、被変換コードとしては、電話番号だけでなく端末ＩＤや図７（ａ）の利用者情報データベースの内容例に示した利用者ＩＤのように個人や端末、回線を一意に認証できるコードであれば何であっても良い。
また、変換コードとしては、例えば、図７（ｂ）のコード情報データベースの内容例のように、宅配業者などが、利用者の電話番号から利用者が居住する地域を管轄する支店コードを指定して、利用者の環境を示すコードとしても良い。このように、変換コードも、ＣＰ側の情報サーバがメニュー等の提供情報を分類するための指標となるものであれば、何であっても良い。
【００４０】
また、上述の説明では、図１に示す接続サーバ１、図３に示す接続サーバ６、及び図５に示す接続サーバ８の各装置における機能を、すべて１個のサーバにおける機能として説明したが、各装置の機能は、それぞれ複数のサーバに機能を分割して、この複数のサーバの組み合わせにより実現しても良い。
更に、上述の図１に示す接続サーバ１、図３に示す接続サーバ６、及び図５に示す接続サーバ８の各装置、もしくはこれらの機能を分割した複数のサーバは、その機能を実現するためのプログラムを、コンピュータ読みとり可能な記録媒体に記録して、この記録媒体に記録されたプログラムをコンピュータシステムに読み込ませ、実行することにより、上述の各装置における機能を実現しても良い。
【００４１】
ここで、上記「コンピュータシステム」とは、ＯＳや周辺機器等のハードウェアを含み、さらにＷＷＷ（Ｗｏｒｌｄ  Ｗｉｄｅ  Ｗｅｂ）システムを利用している場合であれば、ホームページ提供環境（あるいは表示環境）も含むものとする。また、「コンピュータ読みとり可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に、「コンピュータ読みとり可能な記録媒体」とは、インターネット等のコンピュータネットワークや電話回線等の通信回線を介してプログラムを送出する場合のように、短時間の間、動的にプログラムを保持するもの（伝送媒体もしくは伝送波）、その場合のサーバやクライアントとなるコンピュータシステム内部の揮発性メモリのように、一定時間プログラムを保持しているものも含むものとする。
【００４２】
また、上記プログラムは、前述した機能の一部を実現するためのものであっても良く、更に前述した機能をコンピュータシステムに既に記憶されているプログラムとの組み合わせで実現できるもの、いわゆる差分ファイル（差分プログラム）であっても良い。
【図面の簡単な説明】
【００４３】
【図１】本発明の概念を表す構成を説明するブロック図である。
【図２】本発明の概念を表す構成の動作を説明するシーケンス図である。
【図３】本発明の第１の実施例の構成を説明するブロック図である。
【図４】同実施例の動作を説明するシーケンス図である。
【図５】本発明の第２の実施例の構成を説明するブロック図である。
【図６】同実施例の動作を説明するシーケンス図である。
【図７】本発明の利用者情報とコード情報のデータベースの内容例を示す模式図である。
【符号の説明】
【００４４】
１      接続サーバ
２      利用者端末
３      公衆回線網
４      情報サーバ
５      コンピュータネットワーク
６      接続サーバ
７      情報サーバ
８      接続サーバ
９      情報サーバ
１１    モデム
１２    利用者情報管理部
１３    利用者情報データベース
１４    利用者認証処理部
１５    利用者情報送出処理部
１６    ルータ
１７    通信形態変換処理部
１８    コード情報管理部
１９    コード情報データベース
２０    ＩＤ情報変換処理部
２１    コード情報取得部
２２    コード情報記録部
４１    コンテンツ情報
７１    コンテンツ情報
９１    コード情報データベース
【図１】
2004213659.tif 000003
【図２】
2004213659.tif 000004
【図３】
2004213659.tif 000005
【図４】
2004213659.tif 000006
【図５】
2004213659.tif 000007
【図６】
2004213659.tif 000008
【図７】
2004213659.tif 000009